(57)【要約】      （修正有）【課題】全体的に平板状で使い勝手がよく安定性と安全性を備えた留め具を提供する。【解決手段】磁極方向の貫通孔３を有する円筒状の磁石２と、突出部Ａを有する着磁性の上円板部と、磁石の貫通孔内に配置された突出部Ｂを有し、磁石の下面と接触して磁石の下面の磁極と同じ磁極を有する着磁性の下円板部を備え、突出部Ａ、Ｂはそれぞれ上・下円板部の穴部に軸部が挿入され、かつ上・下円板部の一方および他方の面部５、６の穴部周縁に頭部が着座し、軸部先端部のかしめにより拡径して突出することにより固定部が形成されている。固定部は、拡径量を減調整する切欠き凹部を有する型を用いてかしめ形成される。【選択図】図６
0003195444.tif 000002
【実用新案登録請求の範囲】
【請求項１】
上下面がそれぞれ異極に着磁されかつ磁極方向の貫通孔を有する円筒状の磁石と、中央部から直立する突出部Ａを有する着磁性の上円板部Ｃと、中央部から直立しかつ磁石の貫通孔内に配置された突出部Ｂを有し、磁石の下面と接触して磁石の下面の磁極と同じ磁極を有する着磁性の下円板部Ｄを備え、頭部とこれから延びる軸部を有する突出部Ａ、Ｂは上・下円板部Ｃ，Ｄの穴部に軸部が挿入され、かつ上・下円板部Ｃ，Ｄの一方の面部には穴部周縁に頭部が着座する一方、上・下円板部の他方の面部には穴部周縁に軸部先端部のかしめにより、拡径して突出する固定部が形成され、上・下円板部Ｃ、Ｄを組み合わせたとき、貫通孔内に配置された突出部Ｂと貫通孔に挿入された突出部Ａは対向する各頭部の当接により磁力で着脱可能に固着され、前記固定部は、拡径量を減調整する切欠き凹部を有する軸部先端部のかしめにより拡径されている留め具。
【請求項２】
上下面がそれぞれ異極に着磁されかつ磁極方向の貫通孔を有する円筒状の磁石と、中央部から直立する突出部Ａを有する着磁性の上円板部Ｃと、中央部から直立しかつ磁石の貫通孔内に配置された突出部Ｂを有し、磁石の下面と接触して磁石の下面の磁極と同じ磁極を有する着磁性の下円板部Ｄを備え、頭部とこれから延びる軸部を有する突出部Ａ、Ｂは上・下円板部Ｃ，Ｄの穴部に軸部が挿入され、かつ上・下円板部Ｃ，Ｄの一方の面部には穴部周縁に頭部が着座する一方、上・下円板部Ｃ，Ｄの他方の面部には穴部周縁に軸部先端部のかしめにより、拡径して突出する固定部が形成され、上・下円板部Ｃ、Ｄを組み合わせたとき、貫通孔内に配置された突出部Ｂと貫通孔に挿入された突出部Ａは対向する各頭部が当接して磁力で着脱可能に固着され、前記固定部は、拡径量を減調整する切欠き凹部を有する軸部先端部のかしめにより先端部側が湾曲状に拡径されている留め具。
【請求項３】
前記切欠き凹部は円柱状軸部の先端面から軸部の側面へ先端部の角部を斜めに切欠いてなる請求項１又は２に記載の留め具
【請求項４】
前記上・下円板部Ｃ、Ｄには周縁部の外方側で周方向に複数の取り付け部が上・下円板部Ｃ、Ｄとほぼ同じ平面で面一に形成されている請求項１又は２に記載の留め具。
【請求項５】
前記磁石はフェライト磁石、ネオジム磁石、ポリアミド磁石の永久磁石である請求項１又は２に記載の留め具。
【考案の詳細な説明】
【技術分野】
【０００１】本考案は留め具、特に磁力により着脱可能に構成された留め具に関する。
【背景技術】
【０００２】永久磁石の磁力により着脱可能に構成した留め具であって、鞄、被服等の開閉部に取り付けて使用される留め具が開発されている。しかし、従来の留め具では裏面側（つまり被付け部に対向する面側）に留め具の構成部材の一部が突出しており、被取り付け部を損傷するおそれがあった。このような留め具にあっては、磁石の強力な吸着力を効率的に利用するだけでなく、開閉部等の被取り付け部への安定した取り付けと、被取り付け部を損傷することのない安全性が求められている。
【先行技術文献】
【０００３】
【特許文献】
【特許文献】登録実用新案公報第３０３０１９６号
【考案の概要】
【考案が解決しようとする課題】
【０００４】本考案の解決しようとする課題は、鞄、袋物、被服等のアパレル製品、手芸用部材等に使用される留め具（ボタンを含む、以下同様））であって、取り付け部への取り付けの安定性と、被取り付け部を損傷することのない安全性を備えた留め具を提供することにある。また更に小型化され、全体的に平板状で使い勝手のよい留め具を提供することにある。
【課題を解決するための手段】
【０００５】上記課題を解決するため、本考案に係る留め具は、上下面がそれぞれ異極に着磁されかつ磁極方向の貫通孔を有する円筒状の磁石と、中央部から直立する突出部Ａを有する着磁性の上円板部Ｃと、中央部から直立しかつ磁石の貫通孔内に配置された突出部Ｂを有し、磁石の下面と接触して磁石の下面の磁極と同じ磁極を有する着磁性の下円板部Ｄを備え、頭部とこれから延びる軸部を有する突出部Ａ、Ｂは上・下円板部Ｃ，Ｄの穴部に軸部が挿入され、かつ上・下円板部Ｃ，Ｄの一方の面部には穴部周縁に頭部が着座する一方、上・下円板部の他方の面部には穴部周縁に軸部先端部のかしめにより、拡径して突出する固定部が形成され、上・下円板部Ｃ、Ｄを組み合わせたとき、貫通孔内に配置された突出部Ｂと貫通孔に挿入された突出部Ａは対向する各頭部の当接により磁力で着脱可能に固着され、前記固定部は、拡径量を減調整する切欠き凹部を有する軸部先端部のかしめにより拡径されている。【０００６】また上下面がそれぞれ異極に着磁されかつ磁極方向の貫通孔を有する円筒状の磁石と、中央部から直立する突出部Ａを有する着磁性の上円板部Ｃと、中央部から直立しかつ磁石の貫通孔内に配置された突出部Ｂを有し、磁石の下面と接触して磁石の下面の磁極と同じ磁極を有する着磁性の下円板部Ｄを備え、頭部とこれから延びる軸部を有する突出部Ａ、Ｂは上・下円板部Ｃ，Ｄの穴部に軸部が挿入され、かつ上・下円板部Ｃ，Ｄの一方の面部には穴部周縁に頭部が着座する一方、上・下円板部Ｃ，Ｄの他方の面部には穴部周縁に軸部先端部のかしめにより、拡径して突出する固定部が形成され、上・下円板部Ｃ、Ｄを組み合わせたとき、貫通孔内に配置された突出部Ｂと貫通孔に挿入された突出部Ａは対向する各頭部が当接して磁力で着脱可能に固着され、前記固定部は、拡径量を減調整する切欠き凹部を有する軸部先端部のかしめにより先端部側が湾曲状に拡径されている。【０００７】また前記切欠き凹部は円柱状軸部の先端面から軸部の側面へ先端部の角部を斜めに切欠いてなる。また前記上・下円板部Ｃ、Ｄには周縁部の外方側で周方向に複数の取り付け部が上・下円板部Ｃ、Ｄとほぼ同じ平面で面一に形成されている。そして前記磁石はフェライト磁石、ネオジム磁石、ポリアミド磁石の永久磁石である。
【考案の効果】
【０００８】本考案にかかる留め具によれば、留め具を構成する一対の上・下円板部Ｃ、Ｄの他方の面部に形成される固定部は小型化される。また固定部は先端部側が湾曲状であり、被取り付け部との間に不要な間隙を生ずることもなく、安定した取り付けが可能になる。また全体的に平板状にすることができ、使い勝手がよい。そして被取り付け部やその他の接触部分に損傷を生ずることがなく、安全性が高い。
【図面の簡単な説明】
【０００９】
【図１】本考案に係る留め具を分離した状態の正面図である。
【図２】同留め具の組み合わせた状態の正面図である。
【図３】同留め具の組み合わせた状態の平面図である。
【図４】同留め具の組み合わせた状態の底面図である。
【図５】同留め具の分解斜視図である。
【図６】同留め具の分離した状態の拡大断面図である。
【図７】同留め具の組み合わせた状態の拡大断面図である。
【図８】同留め具の突出部の拡大正面図である。
【図９】同留め具の突出部における固定部の製造を示す説明図である。
【図１０】同留め具の突出部の固定部を示す拡大説明図である。
【図１１】同留め具の突出部の他の固定部を示す拡大説明図である。
【図１２】同留め具における磁石、突出部、カバー体の配置関係を示す拡大説明図である。
【考案を実施するための形態】
【００１０】本考案を実施するための形態について図面を参照して説明する。留め具１は円筒状の永久磁石２を備え、上下両面が異極に着磁されている。磁石２は中心部に磁極方向（図６における上下方向）の貫通孔３を有する。留め具１は鞄、袋物等に使用されるものの他、被服等に使用されるボタンを含む。上・下円板部Ｃ、Ｄは着磁性の素材である鉄等で作られ、留め具１は上・下円板部Ｃ、Ｄの一方の面部５，５をそれぞれ対向させ、両者を組み合わせて使用する。そして下円板部Ｄの一方の面部５には磁石２の一方の磁極面（図＠の場合、下面側の磁極面）が当接して配置され、磁石２は磁力により下円板部Ｄに固着される。永久磁石２にはフェライト磁石、ネオジム磁石、ポリアミド磁石等を用いることができ、これらの磁石は磁力が強力であるから、下円板部Ｄとの固着に接着材は不要である。なお永久磁石２についてその種類は問わない。
【００１１】磁石２は非着磁性の真鍮等のカバー体８を備え、カバー体８は円筒状の磁石２の外面側を覆う。すなわち下面を除く磁石２の上面側と外周面側を覆い、磁石２の内周面側については、内周面の全体をカバー体で覆う、その一部をカバーで覆う、まったく覆うことなく露呈するという構成が可能であるが、いずれを選択してもよい。図６の場合、カバー体８の一部４が磁石２の内周面の一部を覆っている。またカバー体８には円形状の下端部２３周縁から周方向の複数（４個）の爪部１９が設けてあり、カバー体８は下円板部Ｄの他方の面部６側へ屈曲される爪部１９により、下円板部Ｄに固定されている。
【００１２】上・下円板部Ｃ、Ｄには一方の面部５の中央部から着磁性の突出部Ａ、Ｂが直立している。突出部Ｂは円筒状磁石２の中心部の貫通孔３内に配置され、その端面１２が貫通孔３の深さのほぼ半分まで達している。下円板部Ｄは一方の面部５が磁石２の下面の磁極面（図６参照）と接触し、磁石２の下面の磁極と同じ磁極を有する。従って、一方の面部５，５が対向するように上・下円板部Ｃ、Ｄを組み合わせたとき、貫通孔３内に配置された突出部Ｂと貫通孔に挿入された突出部Ａは、対向する端面１２，１２が当接して磁力で着脱可能に固着される。磁石２の磁束が突出部Ａ，Ｂを通過することにより強力に吸着されるから、円筒状の磁石２の厚みを小さくし強力な磁力を維持する一方で、留め具１を扁平なのものとすることができる。なお、貫通孔３内の突出部Ａ，Ｂと磁石の貫通孔３との間に一定の磁気間隙Ｅを設けることができ、また磁石２の外周面とカバー体８との間に同じく磁気間隙Ｅを設けることができる。
【００１３】突出部Ａ、Ｂは拡径された円柱状の頭部１０とこれと同心円状に設けられた円柱状の軸部１１からなり、上・下円板部Ｃ、Ｄと同じく着磁性の鉄製等である。突出部Ａ、Ｂは、上・下円板部Ｃ，Ｄの穴部１４に軸部１１が挿入されている。上・下円板部Ｃ、Ｄの一方の面部５には穴部１４周縁に頭部１０が着座し、また上・下円板部Ｃ，Ｄの他方の面部６には穴部１４周縁に軸部の先端部１３がかしめにより拡径された固定部１５が突出している。
【００１４】突出部の軸部１１の先端部１３（先端部側を含む）にはかしめによる塑性変形の拡径量を減調整する切欠き凹部１６が設けてある。固定部１５は穴部１４より大径となるように拡径されるが、軸部の先端部１３に切欠き凹部１６がない場合、かしめで塑性変形する先端部１３の拡径量も相対的に大きくなり、固定部１５が大型化する。すなわち固定部１５の径とその突出幅（高さ）が相対的に大きくなる。これに対して軸部の先端部１３（先端部側を含む）に欠き凹部１６を設けた場合、かしめによる塑性変形する拡径量は相対的に減少し、固定部１５を小型化することができる。すなわち、固定部１５の径（但し穴部１４の径より大）とその突出幅（高さ）は相対的に小さく、例えば、扁平状の小さい固定部が形成される。
【００１５】この場合、固定部１５は切欠き凹部１６を有する軸部の先端部のかしめにより先端側が湾曲状に拡径されている。固定部１５の先端側が湾曲状とは、固定部の先端側の少なくとも一部が湾曲面である場合、全体がほぼ湾曲面である場合を含み、先端部側の少なくとも一部が湾曲面の場合、他の一部は直線状の平面でもよい。要するに固定部１５の先端側が角張らず湾曲面である。先端側が角張っていると、留め具１を取り付けたとき固定部１５が被取付け部と接触し、開閉部等の破損の原因となるが、先端側が湾曲状ではこのような破損が生じない。
【００１６】軸部の先端部１３のかしめには、突出部Ａ，Ｂの頭部１０側にこれと対向して配置され上型２０と、突出部Ａ，Ｂの軸部の先端部１３側にこれと対向して配置された下型２１とで加圧する。下型２１は湾曲状の凹部２２を有する凹型であり、これにより先端側が湾曲状の固定部１５が形成される（図９，１０，１１参照）。
【００１７】塑性変形による拡径量を減調整するための切欠き凹部１６はその形状、大きさ、位置に限定はなく、適宜に設定することができる。また軸部１１の径は５ｍｍ乃至２ｍｍであるのが好ましいが、これに限定されない。図８では切欠き凹部１６は１個であり、円柱状軸部１１の先端部１３から軸部の側面２５へ先端部１３の角部を斜めに切欠いてある。なお、塑性変形する拡径量の減調整によりかしめ時の加圧に起因する頭部１０の不要な拡径、すなわち頭部のひずみや変形を防ぐことができ、突出部の端面１２，１２の密接な当接が維持される。
【００１８】上・下円板部Ｃ、Ｄには周縁部の外方側で周方向に複数の取り付け部９が上・下円板部Ｃ、Ｄとほぼ同じ平面で面一に形成されている。取り付け部９は２個以上設けてあり、取り付け部の孔部７に挿通される固定用の糸等（図示せず）を介して開閉部等の被取り付け部（図示せず）に固定される。取り付け部９は上・下円板部Ｃ，Ｄと水平方向へほぼ同じ水平面で面一に形成され、留め具１（その裏面側）と被取り付け面との間に不要の隙間が生ずることなく、留め具１を被取り付け面に安定的に取り付けることができる。
【００１９】
【産業上の利用可能性】
【００２０】本項案にかかる留め具は、鞄、袋物や被服などのアパレル製品、手芸品等に関する産業界等で利用されるものである。
【符号の説明】
【００２１】      １    留め具
２    磁石
３    貫通孔
５    上・下円板部の一方の面部
６    上・下円板部の他方の面部
７    孔部
８    カバー体
９    取り付け部
１０  頭部
１１  軸部
１２  突出部の端面
１３  突出部の先端部
１４  穴部
１５  固定部
１６  切欠き凹部
１９  爪部
２０  上型
２１  下型
２２  凹部
【図１】
0003195444.tif 000003
【図２】
0003195444.tif 000004
【図３】
0003195444.tif 000005
【図４】
0003195444.tif 000006
【図５】
0003195444.tif 000007
【図６】
0003195444.tif 000008
【図７】
0003195444.tif 000009
【図８】
0003195444.tif 000010
【図９】
0003195444.tif 000011
【図１０】
0003195444.tif 000012
【図１１】
0003195444.tif 000013
【図１２】
0003195444.tif 000014